(57)【要約】【課題】昇降パネルが躯体の窓開口部と、その下に設けた昇降パネルの収納部との間を上げ下げする昇降窓構造であって、この昇降パネルの収納部のメンテナンス性の向上を図ることを目的とする。【解決手段】躯体の窓開口部に対して昇降パネルが上昇すると当該窓開口部を閉じ、昇降パネルが下降すると当該窓開口部を開く窓構造であって、当該窓開口部の下側に外側パネルと内側パネルとにて、その間に昇降パネルの収納部を形成し、外側パネルは、当該収納部の底部付近に、当該外側パネルに着脱自在の着脱パネルを有し、当該収納部の底部は、内側から外側に向けて下方に傾斜した傾斜面を有していることを特徴とする。【選択図】  図１
2010159566.tif 000002
【特許請求の範囲】
【請求項１】
躯体の窓開口部に対して昇降パネルが上昇すると当該窓開口部を閉じ、昇降パネルが下降すると当該窓開口部を開く窓構造であって、
当該窓開口部の下側に外側パネルと内側パネルとにて、その間に昇降パネルの収納部を形成し、
外側パネルは、当該収納部の底部付近に、当該外側パネルに着脱自在の着脱パネルを有し、
当該収納部の底部は、内側から外側に向けて下方に傾斜した傾斜面を有していることを特徴とする昇降窓構造。
【発明の詳細な説明】
【技術分野】
【０００１】
本発明は、昇降パネルが窓開口部を昇降する窓構造に関し、特に昇降パネルの収納部の構造に係る。
【背景技術】
【０００２】
例えば、建築物の外壁に窓を設ける場合に、障子が左右にスライドする引き違い障子タイプと、昇降パネル（上げ下げ障子）が下降することで窓を開口する昇降パネルタイプとがある。
引き違い障子タイプは、障子を片側に寄せて窓を開口する構造であるために開口幅に制限があり、開放感に劣る。
そこで、例えば特許文献１の第５図には開口部の下であって外壁及び内壁の間にガラス戸の収納スペースを設けた昇降パネルタイプの窓構造を開示する。
しかし、特許文献１に開示する窓構造にあっては、外側に大きな開口部を形成することが可能であるものの、ガラス戸と外壁あるいは内壁との間に有する隙間からゴミが侵入したり、小物をうっかり落してしまった場合に、内部の清掃や異物（小物）回収が困難である。
【先行技術文献】
【特許文献】
【０００３】
【特許文献１】特開平４−１７９７８７号公報
【発明の概要】
【発明が解決しようとする課題】
【０００４】
本発明は、昇降パネルが躯体の窓開口部と、その下に設けた昇降パネルの収納部との間を上げ下げする昇降窓構造であって、この昇降パネルの収納部のメンテナンス性の向上を図ることを目的とする。
【課題を解決するための手段】
【０００５】
本発明に係る昇降窓構造は、躯体の窓開口部に対して昇降パネルが上昇すると当該窓開口部を閉じ、昇降パネルが下降すると当該窓開口部を開く窓構造であって、当該窓開口部の下側に外側パネルと内側パネルとにて、その間に昇降パネルの収納部を形成し、外側パネルは、当該収納部の底部付近に、当該外側パネルに着脱自在の着脱パネルを有し、当該収納部の底部は、内側から外側に向けて下方に傾斜した傾斜面を有していることを特徴とする。
【０００６】
ここで、躯体の窓開口部とは、建築物に設けた窓用の開口部との趣旨であり、かならずしも外壁に限定するものではないが、大きな開放感と採光性を得る点においては、外壁及び内壁を切り抜いて設けた窓開口部に本発明を適用するのが好ましい。
その場合には、外側パネルが外壁に相当し、内側パネルが内壁に相当することになる。
【０００７】
着脱パネルを昇降パネルの収納部の底部付近に設けるとは、着脱パネルを取り外して収納部の底部に落下したゴミの清掃や、うっかり落としてしまった小物を取り出すことができる趣旨である。
従って、収納部の底部付近であればよく、かならずしも収納部の底部に合致させる必要はない。
また、着脱パネルが取り外し可能であれば嵌着方式でも螺着方式でもよい。
さらには、収納部の底部に内側から外側に向けて下方に傾斜した傾斜面を設けた趣旨は、落下物を外側に誘導するのが目的である。
よって、収納部の底部全面が傾斜面となっている必要はなく一部に平坦な面や、あるいは昇降パネルの下端を受けるブロックが取り付けられていてもよい。
また、収納部の底部は躯体と一対的であっても底部材を別体として取り付けてもよい。
【発明の効果】
【０００８】
本発明に係る昇降窓構造は、外側パネルであって、昇降パネルの収納部の底部付近に着脱自在の着脱パネルを設けたことにより、着脱パネルを取り外すことでゴミの除去や落下物を取り出すことが容易になり、メンテナンス性が向上する。
この場合に、昇降パネルの収納部の底部に内側から外側に向けて下方に傾斜した傾斜面を設けると落下物が外側に誘導され、さらにメンテナンス性が向上する。
【図面の簡単な説明】
【０００９】
【図１】本発明に係る昇降窓構造の外観図を示す。
【図２】昇降窓の縦断面図を示す。
【図３】昇降窓の部分断面図を示す。
【図４】昇降パネルの収納部の拡大図を示す。
【図５】着脱パネルに設けた逆流防止弁の例を示す。
【発明を実施するための形態】
【００１０】
図１に本発明に係る昇降窓構造を採用した昇降窓１０の外側外観図を示し、図２及び図３は縦断面図、図４は昇降パネル１３の収納部Ｓの拡大図を示す。
建築物の躯体の一部を切り抜いて開口部３０を形成し、この開口部３０の下側に外側パネル１１と内側パネル１２とで、その間に昇降パネル１３の収納部Ｓを設けてある。
開口部３０の両側から収納部Ｓの両側にわたって左右に上下方向の昇降レール２０を有し、昇降パネル１３は、この左右の昇降レール２０の沿って上げ下げされる。
【００１１】
昇降パネル１３は、アルミサッシで製作された上枠１３ａと下枠１３ｂ及び左右の縦枠（図示省略する）とで形成した枠体にガラスを組み込んである。
本実施例では、ペアガラスの二重構造の例となっている。
昇降パネル１３は、下部を左右のブラケット１３ｃに支持され昇降装置２１に巻装されたワイヤーにて上げ下げする。
開口部３０の上側は、水平方向に設けた室内側上サッシ３３と室外側上サッシ３４を有している。
開口部３０の下側は、水平方向に設けた室内サッシ３１と室外サッシ３２とを有し、昇降パネル１３に室内外から摺接するようになっているが、昇降がスムーズになるようにガラスと室内外サッシ３１，３２との間には弾性を有するタイト材３１ａ，３２ａが設けられているもののゴミが侵入したり、小物が落下する場合も生じる。
また、昇降窓１０を外壁に設けた場合には、雨水が浸入する場合もあり得る。
【００１２】
そこで、外側パネル１１の収納部Ｓの底部付近には水平方向に設けた着脱パネル４０が着脱自在に設けてある。
着脱パネル４０を取り外すと図１及び図４に示すようにメンテナンス孔Ｍが形成される。
【００１３】
着脱パネル４０は外側パネル１１に取り付け及び取り外し可能になっていれば、嵌着方式でも螺着方式でも特に取り付け構造が限定されない。
なお、本実施例では、嵌着方式を採用している。
外側パネル１１にメンテナンス孔Ｍを形成するために、外側パネル１１の収納部Ｓの底部付近を切り抜き、メンテナンス孔Ｍの上縁を固定サッシ５１に固定し、このメンテナンス孔Ｍの下側には底部サッシ１４を水平方向に取り付けてある。
本実施例では、着脱パネル４０の上縁４０ａを固定サッシ５１の被係止部５１ａ、下縁４０ｂを底部サッシ１４から立設した被係止部１４ｂにそれぞれ嵌着係止する例となっている。
底部サッシ１４は、落下物を内側から外側に誘導するための内側から外側に向けて下方に傾斜した傾斜面１４ａを有している。
【００１４】
なお、底部サッシから雨水を外側に排水することも可能であり、その場合には、図５に示すように着脱パネル４０に雨水を外側に排水するが外から風の侵入や雨の浸入を抑えるために逆流防止弁４１付きの排水孔４２を設けてもよい。
【符号の説明】
【００１５】
１０    昇降窓
１１    外側パネル
１２    内側パネル
１３    昇降パネル
１３ａ  上枠
１３ｂ  下枠
１４    底部
２０    昇降レール
２１    昇降装置
３０    開口部
４０    着脱パネル
【図１】
2010159566.tif 000003
【図２】
2010159566.tif 000004
【図３】
2010159566.tif 000005
【図４】
2010159566.tif 000006
【図５】
2010159566.tif 000007